Podtech/llm-jp-corpus-v4-ja_patent huggingface dataset:
(57)【要約】      （修正有）【課題】タオルの上部下部とも全面を使用できるタオルかけを提供する。【解決手段】タオルかけ本体９の上部に、基部１を設け、そこに壁面等にタオルかけ本体９を固定するための取り付け部２を設け、タオル７を掛ける為の基体金具１０の左右には支え具３と支持金具４で構成され一体と成っていて、二本の基体金具１０を用いる。基部１には二本の基体金具１０を通して、基体金具１０とタオルかけ本体９を基部１で支え、支え具３の先端部に引っ掛け部５を設け、支持金具４の先端と引っ掛け部５を係合して固定する。下端の二本の支持金具４は中空軸６に夫々挿入して取り付ける。使用するタオル７の両端には筒状部８を備え、タオル７の取り換え時には、タオル７の筒状部８に支持金具４が挿入された中空軸６を通して、タオル７を吊り下げる。【選択図】図１
2016059783.tif 000002
【特許請求の範囲】
【請求項１】
（イ）タオルかけ本体の上部に、基部を設け、そこに壁面等にタオルかけ本体を固定するための取り付け部を設け、
（ロ）タオルを掛ける為の基体金具の左右には支え具と支持金具で構成され一体と成っていて、二本の基体金具を用いる、
（ハ）基部には二本の基体金具を通して、基体金具とタオルかけ本体を基部で支える、
（二）支え具の先端部に引っ掛け部を設け、支持金具の先端と引っ掛け部を係合して固定する。
（ホ）下端の二本の支持金具は二つの中空軸に夫々挿入して取り付ける、
（ヘ）タオルかけ本体に使用するタオルの両端には筒状部を備え、タオルの取り換え時には、タオルの筒状部に支持金具が挿入された中空軸を通して、タオルを吊り下げる、
以上のように構成された上下使えるタオルかけ。
【発明の詳細な説明】
【技術分野】
【０００１】本発明は、フェイスタオルだけでなくハンドタオルなども使えるタオルかけに関するものです。
【背景技術】
【０００２】従来のタオルかけは上からかけて半分に折り、使用しているものが大半であった。
【先行技術文献】
【特許文献】
【０００３】
【特許文献１】登録実用新案３１０４６１３号公報
【発明の概要】
【発明が解決しようとする課題】
【０００４】  通常のタオルかけは上からかけて二つ折りにして使用するものが多く、タオルの下の方の部分だけが汚れてしまい、上の方はきれいなままになっていることが多い。この発明はタオルを全面的に無駄なく使用するための解決をするものです。
【課題を解決するための手段】
【０００５】  タオルかけ本体の上部の基部にはタオルかけ本体を固定するための取り付け部を設け、基体金具の左右には支え具と支持金具で構成され一体と成し、二本の基体金具を用いる、基部には基体金具を通して、基体金具とタオルかけ本体を基部で支え、支え具の先端部に引っ掛け部を設け、支持金具の先端と引っ掛け部を係合して固定する。下端の支持金具は中空軸に其々挿入する。使用するタオルの両端には筒状部を備え、タオルの取り換え時には、タオルの筒状部に支持金具が挿入された中空軸を通して、タオルを吊り下げる。
以上の構成よりなる上下使えるタオルかけ。
【発明の効果】
【０００６】  従来のタオルかけですとタオルの下の方だけが汚れてしまい、上の方はきれいなままでした。でも縫い目の部分を上にして使用することで、タオルを全面的に使用することができます。またハンドタオルなども縫い目を棒に通すことで使用できます。
【図面の簡単な説明】
【０００７】
【図１】本発明のタオルかけ本体の図とタオルの分解図
【図２】本発明の使用状態を示す図
【図３】本発明のタオルが汚れた時に移動して使用する状態図
【発明を実施するための形態】
【０００８】  以下、本発明の実施の形態について説明する。
（イ）  図１に示すように、タオルかけ本体（９）の上部に基部（１）を設け、そこに壁面などにタオルかけ本体（９）を取り付ける為の吸盤（２）を取り付ける。
（ロ）  タオル（７）を掛ける為の基体金具（１０）の左右には支え具（３）と支持金具（４）で構成され一体と成っていて、二本の基体金具（１０）を用いている。
（ハ）  基部（１）には二本の基体金具（１０）を通して、基体金具（１０）を基部（１）で支え、タオルかけ本体（９）も支えている。
（ニ）  基体金具（１０）の支え具（３）の先端部にはＵ字状の引っ掛け部（５）を有している。また、支持金具（４）の下端は基部（１）と略平行に位置し、支持金具（４）のせんたんと引っ掛け部（５）を係合して固定される。
（ホ）  下端の二本の支持金具（４）は二つの中空軸（６）に其々挿入して取り付けられている。中空軸（６）はタオル（７）を掛ける為のものである。
（ヘ）  図１のタオル（７）の両端には筒状部（８）を備えてあり、タオル（７）の取り換え時には、タオル（７）の筒状部（８）に支持金具（４）が挿入された中空軸（６）を通して、タオル（７）を吊り下げるためのものである。
本発明は以上のような構造である。
【０００９】  本発明を使用する時は、吸盤（２）で取り付ける壁などにタオルかけ本体（９）を固定する。図２に示す使用状態は、タオルを取り換えて新しい状態の時は、中空軸（６）の上にタオル（７）を普通に掛けて使用する。
タオル（７）の下の方が汚れてきたら、中空軸（６）にかけていたタオル（７）を外して、図３に示すように、タオル（７）を二つ折りにし、両端の筒状部（８）を上に向け、このタオル（７）の筒状部（８）に其々の中空軸（６）を挿入してタオルかけ本体（９）に吊るす。
この時、中空軸（６）にはタオルかけ本体（９）の支持金具（４）が挿入されている。そこで、引っ掛け部（５）で固定されていた二本の支持金具（４）を外して、タオル（７）の筒状部（８）に其々の中空軸（６）を挿入し終わったら、二本の支持金具（４）の先端を引っ掛け部（５）にて係合して固定する。
このように、使用していたタオル（７）の下部が汚れてきたら、タオル（７）をタオルかけ本体（９）に掛け直すことによって、掛けていたタオル（７）の位置が変わり、上面が下部に移動することによって上下全面が有効に使用することが可能となった。
又、ハンドタオルを使用する際は、二本の中空軸（６）の間に挟んで通すことによって手拭きとしても使用できる。
【符号の説明】
【００１０】１  基部、２  吸盤、３  支え具、４  支持金具、５  引っ掛け部
６  中空軸  ７  タオル  ８  筒状部  ９  タオルかけ本体  １０  基体金具
【図１】
2016059783.tif 000003
【図２】
2016059783.tif 000004
【図３】
2016059783.tif 000005
(57)【要約】【課題】つえの使用時、グリップから手を放しても手首につえがかけられた状態なので、つえを手元から放さず両手が使え、つえが物にひっかかったりトラブルが起きても、瞬時にグリップから手が放れる、着脱自在なつえ用直立タイプのストラップを提供する。【解決手段】ベルト（２）（表面）より長さが短めのテープ状の物（３）を、ベルト（２ａ）（裏面）の両端にあわせて重ねＵ字形にする。留め具として２本の任意の形、長さのテープ状のもの（４）と（５）、その裏面（４ａ）と（５ａ）に、接触着脱部材（６）と（７）、接触着脱部材の一方の部材（６ａ）と（７ａ）を設けたものを、留め具（４）の先端が左ななめ下方向、留め具（５）の先端が右ななめ下方向を示すように、留め具（４）と留め具（５）の上部一端を、ベルト（２）（表面）の両端左右２ヵ所に、交差させておき、その上に飾り物（８）を重ねてカシメ（９）で留めた、着脱自在のつえ用直立タイプのストラップを特徴とする。【選択図】図１
2016059781.tif 000002
【特許請求の範囲】
【請求項１】
（イ）  ベルト（２）の長さより短めのテープ状のもの（３）を、ベルト（２）の裏面（２ａ）の両端にあわせて重ねＵ字形にする。
（ロ）  留め具として任意の長さ形のテープ状のもの２本（４）と（５）、その裏面（４ａ）と（５ａ）に接触着脱部材（６）と（６ａ），接触着脱部材のもう一方の部材（７）と（７ａ）を設けたものを、ベルト（２）表面の両端、左右２か所に、留め具（４）の先端が左下ななめ方向に、留め具（５）の先端が右下ななめ方向を示すように、留め具（４）と（５）の上部一端を交差させて、その上に飾り物（８）を重ねておき、カシメ（９）で留める。
以上の構成よりなるつえ用直立タイプのストラップ。
【発明の詳細な説明】
【技術分野】
【０００１】本発明は、つえのグリップ（握り部）上に設けた手を通す、つえ用直立タイプのストラップに関するものである。
【背景技術】
【０００２】従来、つえのシャフト（棒状部）にストラップ状の細いひもの輪がぶら下がった状態で取り付けてあり、その輪の中に手を入れてグリップ（握り部）を握ることが知られている。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】  従来のつえには、次のような欠点があった。
（イ）  つえのシャフト（棒状部）に、ゴムや金具にストラップ状のひもの輪が付いているが、そのひもの輪を手首にかけてつえを使用すると、細い柔らかいひも状なのでつえが何かにひっかかり、アクシデントが起きた時、手からひもが瞬時に放れないので、つえと共に身体が転倒する危険があった。
（ロ）  シャフト（棒状部）にぶら下がった状態で装着されているストラップ状のひもの輪は、使用されないで上部の位置から下に移動しているつえの使用者をみかける時がある。
（ハ）従来の細い柔らかいひもの輪を手首にかけて両手を使うとき、ひもの輪とつえが一直線の形にならないので重心が定まらず安定感がない。
本発明は以上の問題点を解決するためになされたものである。
【課題を解決するための手段】
【０００６】  ベルト（２）表面より長さが短めのテープ状のもの（３）を、ベルト（２ａ）裏面の両端にあわせて重ねＵ字形にする。留め具として２本の任意の形、長さのテープ状のもの（４）と（５）その裏面（４ａ）と（５ａ）に接触着脱部材（６）と（７）、接触着脱部材の一方の部材（６ａ）と（７ａ）を設けたものを、留め具（４）の先端が左ななめ下方向に、留め具（５）の先端が右ななめ下方向を示すように、ベルト（２）表面の両端、左右２か所に交差させておき、その上に任意の形の飾り物（８）を重ねカシメ（９）で留める。
本発明は以上の構成よりなるつえ用直立タイプのストラップである。
【発明の効果】
【０００７】Ｕ字形にしたベルト裏面に取り付けた、短めのテープ状のものを、グリップ（握り部）上にかけ、
シャフト（棒状部）を中心に左ななめ下方向の留め具を留め、右ななめ下方向の留め具を留めることにより、ストラップが下に下がるのを防ぎ、ストラップがグリップ（握り部）の左からぬけるのを防ぎ、ストラップがグリップ（握り部）の右からぬけるのを防ぐ３点の利点がある。
つえ使用時、両手を使う場合、グリップ（握り部）を握るだけで手を放してもストラップとつえが縦一直線となり、安定感のある状態で手首にかかり、また瞬時に手からつえが放れ、転倒するなどのトラブルを防ぐ。
【図面の簡単な説明】
【０００８】
【図１】  本発明の表面図である。
【図２】  本発明の裏面図である。
【図３】  本発明の使用時の側面図である。
【図１】
【発明を実施するための形態】
【０００９】以下、本発明を実施するための最良の形態について説明する。
（イ）材料に張りのあるベルト（２）とベルト（２）より長さ短めのテープ状のもの（３）を、ベルト（２ａ）裏面の両端に重ねてＵ字形にする。
（ロ）留め具として任意の形、長さの２本のテープ状のもの（４）と（５）その裏面（４ａ）と（５ａ）に接触着脱部材（６）と（６ａ）接触着脱部材のもう一方の部材（７）と（７ａ）を設けたものを留め具（４）の先端が左ななめ下方向に、留め具（５）の先端が右ななめ下方向にするため、留め具（４）と（５）の上部
一端を交差させて、ベルト（２）表面の両端左右２か所に飾り物（８）を重ねてその上からカシメ（９）で留める。
本発明は、以上のような構造である。
これを使用するときは、グリップ（１０）（握り部）に、ベルト（２ａ）裏面にとりつけたテープ状のもの（３）をかけ、シャフト（１１）（棒状部）を中心に、左ななめ下方向の留め具（４）、右ななめ下方向の留め具（５）を、接触着脱部材（６）（６ａ）、接触着脱部材の一方の部材（７）（７ａ）で留める。
カシメ（９）を中心にストラップが下に下がらない、ストラップがグリップ（１０）（握り部）の左からぬけない、ストラップがグリップ（１０）（握り部）の右からぬけない、３点の利点がある。
グリップ（１０）（握り部）から手を放しても、つえとストラップがたて一直線に重心が安定した状態で、手首にかかり両手が使え、つえ使用時にトラブルが起きた時、瞬時につえが手から放れる。
【実施例】
【・・・・】
【産業上の利用可能性】
【・・・・】
【符号の説明】
【００１０】  （１）つえ用直立タイプのストラップ
（２）ベルト（表面）、（２ａ）ベルト（裏面）
（３）テープ状のもの
（４）左下ななめ方向留め具（表面）、左下ななめ方向留め具（裏面）
（５）右下ななめ方向留め具（表面）、右下ななめ方向留め具（裏面）
（６）接触着脱部材、（６ａ）接触着脱部材の一方の部材
（７）接触着脱部材、（７ａ）接触着脱部材の一方の部材
（８）飾り物
（９）カシメ
（１０）グリップ（握り部）
（１１）シャフト（棒状部）
（１２）つえ
【図１】
2016059781.tif 000003
【図２】
2016059781.tif 000004
【図３】
2016059781.tif 000005
(57)【要約】      （修正有）【課題】複雑な電気的、機械的構成を用いず、作業員の熱中症を回避することができる熱中症警告装置を提供する。【解決手段】作業着を着用した作業員に対する熱中症警告装置であって、前記装置は、体温測定部１と、表示部２と、該体温測定部と該表示部とを結ぶコード部３から形成され、体温測定部１は、前記作業員の体温測定可能な箇所に取り付け、表示部２は、体温表示部と警告部とからなり、前記作業着に固定することができ、前記警告部は、体温が所定値に達した場合には発光し、あるいは警告音を鳴らし、あるいは発光とともに警告音を鳴らす。【選択図】図１
2016059533.tif 000002
【特許請求の範囲】
【請求項１】
作業着を着用した作業員に対する熱中症警告装置であって、
前記装置は、体温測定部と、表示部と、該体温測定部と該表示部とを結ぶコード部から形成され、
前記体温測定部は、前記作業員の体温測定可能な箇所に取り付け、
前記表示部は、体温表示部と警告部とからなり、前記作業着に固定することができ、
前記警告部は、体温が所定値に達した場合には発光し、あるいは警告音を鳴らし、あるいは発光とともに警告音を鳴らす、
ことを特徴とする熱中症警告装置。
【発明の詳細な説明】
【技術分野】
【０００１】
本発明は、アスベスト、ダイオキシンや放射線管理区域環境下等のように作業にあたって防護服を着用する必要のある現場の作業員の作業中の熱中症をリアルタイムで表示する装置に関する。
【背景技術】
【０００２】
例えば、東北地方太平洋地震に伴って発生した原子力発電施設における放射線環境区域において、作業員は特別の防護服を着用して作業に従事している。一般の防護服に比べて放熱し難く、防護服内は熱や湿気が防護服内にこもり、作業員は熱中症になり易い環境に置かれている。
【０００３】
熱中症とは、暑熱環境下においての身体適応の障害によっておこる状態の総称である。主な熱中症の症状として、めまい、失神、頭痛、吐き気、気分が悪くなる、体温の異様な上昇、異常な発汗等である。屋内・屋外を問わず高温や多湿等が原因となって起こる。日射病とは異なり、屋内でも発症するケースが多い。
【０００４】
従来は、作業開始前の体温測定やヒアリングによる体調確認の実施等、作業中は作業員本人の自己申告に任せることが多かった。また、作業中は、共同作業である場合が多く、周囲の共同作業員に迷惑をかけないように、自分の体調不良を申告できずに熱中症に至る場合もある。さらに、熱中症の初期段階から重症化する過程で、本人も徐々に正常な判断ができなくなるようになり、周囲が気付いたときには既に重症化に至っている場合もある。防護服やマスクを着用した場合などのコミュニケーションがとり難い状態も、自己申告を阻害している一因として考えられる。
【０００５】
前述した自己申告は、安全教育等によって作業員の意識改革を徹底して行わない限り、作業中における熱中症の再発を防ぐことはできない。
【発明の概要】
【発明が解決しようとする課題】
【０００６】
本発明は、上記する問題に鑑みてなされたものであり、複雑な電気的、機械的構成を用いず、作業員の熱中症を回避することができる熱中症警告装置を提供することを目的とする。
【課題を解決するための手段】
【０００７】
前記目的を達成すべく、本発明による熱中症警告装置は、作業着を着用した作業員に対する熱中症警告装置であって、前記装置は、体温測定部と、表示部と、該体温測定部と該表示部とを結ぶコード部から形成され、前記体温測定部は、前記作業員の体温測定可能な箇所に取り付け、前記表示部は、体温表示部と警告部とからなり、前記作業着に固定することができ、前記警告部は、体温が所定値に達した場合には発光し、あるいは警告音を鳴らし、あるいは発光とともに警告音を鳴らすことを特徴とする。
【発明の効果】
【０００８】
以上の説明から理解できるように、本発明の熱中症警告装置によれば、複雑な電気的、機械的構成を用いず、作業員同士がリアルタイムで互いの体温や体調を確認し、機械的に体温を表示するため、周囲に気を使って体調不良を言い出せないということもなくなり、効果的に熱中症を回避することができる。
【図面の簡単な説明】
【０００９】
【図１】本発明の熱中症警告装置の作業員への設置例である。
【図２】本発明の熱中症警告装置表示部の平面図である。
【発明を実施するための形態】
【００１０】
以下、図面を参照して本発明の熱中症警告装置の実施形態を説明する。
【００１１】
図１は、本発明の熱中症警告装置の作業員への設置例である。体温測定部１は、作業員の腋の下等の体温を測ることができる場所に、体温測定部１を挟み込み、それを伸縮性の良いバンドやテープを巻いて、面ファスナーやフックで固定する。
【００１２】
表示部２は、作業着の襟元や胸等の周囲の関係者からも目視しやすい場所にクリップやシール等の手段により固定して表示する。
【００１３】
体温測定部１と表示部２はコード部３によって結ばれる。当該コード部は、作業の支障にならないように作業着の内側を通す。コード部３は、体温測定部１の電源供給を目的とすることもある。また、ワイヤレスにして省略することもできる。
【００１４】
図２は、本発明の熱中症警告装置に係る表示部２の平面図である。表示部２は、体温表示部２１と警告部２２とからなる。体温表示部２１は、体温測定部１で測定した体温をリアルタイムで表示することができる。警告部２２は、熱中症の危険度が高い場合には警告を示す目的で発光し、あるいは警告音を鳴らし、あるいは発光とともに警告音を鳴らすことができる。
【００１５】
警告部２２は、体温に応じて色が変化したり、警告音を鳴らすような機能を有する。例えば、体温３６．５度以下は緑色、３６．５~３７．５度は黄色、３７．５度以上は赤色で発光し、３８．５度以上では発光に加えて警告音を鳴らす等の表示を行う。
【００１６】
以上、本発明の実施の形態を図面を用いて詳述してきたが、具体的な構成はこの実施形態に限定されるものではなく、本発明の要旨を逸脱しない範囲における変更等があっても、それらは本発明に含まれるものである。
【符号の説明】
【００１７】
１    体温測定部
２    表示部
２１  体温表示部
２２  警告部
３    コード部
【図１】
2016059533.tif 000003
【図２】
2016059533.tif 000004
(57)【要約】【課題】解決しようとする問題点は、従来、洗浄用スポンジで十分に焦げが落とせない、又は、研磨剤入りスポンジや金属製たわし等で焦げを落とすが、同時に、調理器具表面の研磨を行い焦げを落としているが、調理器具表面の研磨を防止、焦げのみを落とす事を目的とする焦げ落とし用具である。【解決手段】本発明は、人間の爪と同様の素材又はプラスチック等でモース硬度２．５程度で、人間の爪と同程度の湾曲又は平面形状をした、焦げ落とし用先端部を有することを最も主要な特徴とし、調理器具の表面の研磨防止及び焦げのみ取る事ができる。【選択図】なし【特許請求の範囲】
【請求項１】
人間の爪と同様の素材又はプラスチック等でモース硬度２．５程度で、人間の爪と同程度の湾曲又は平面形状の焦げ落とし用先端部を有する、調理器具表面の研磨をせずに洗浄する、鍋他の調理器具に付着した焦げ落とし用具である。
【発明の詳細な説明】
【技術分野】
【０００１】
本発明は、鍋他の調理器具に付着した焦げ落としに関するものである。
【発明の概要】
【発明が解決しようとする課題】
【０００２】
解決しようとする問題点は、洗浄用スポンジで十分に焦げが落とせない、又は、研磨剤入りスポンジや金属製たわし等で調理器具表面の研磨を防止するものである。
【課題を解決するための手段】
【０００３】
本発明は、人間の爪と同様の素材又はプラスチック等でモース硬度２．５程度で、人間の爪と同程度の湾曲又は平面形状の焦げ落とし用先端部を有することを最も主要な特徴とする。
【発明の効果】
【０００４】
本発明の焦げ落としは、調理器具に付着した焦げを、調理器具の表面を研磨する事無く、焦げのみを調理器具より離脱するという利点がある。
【産業上の利用可能性】
【０００５】
本発明は、鍋等の調理器具の焦げ等を表面を研磨する事無く、焦げを落とす用具に関するものである。
(57)【要約】      （修正有）【課題】水着、下着等のショーツやショートパンツの股部に装着するストラップ状の付け替え可能なアクセサリーの提供。【解決手段】下着、水着やショートパンツ等のショーツＡの股部aに引っ掛け得るストラップ１と、止め具３を有する脱落防止用ストラップ２との複合体。【選択図】なし【特許請求の範囲】
【請求項１】
ショーツ又部に装着するストラップ状の付け替え可能なアクセサリー。
【発明の詳細な説明】
【発明の概要】
【発明が解決しようとする課題】
【０００１】
ショーツ又部に装着するストラップ状の付け替え可能なアクセサリー。使用者のファッションセンスの表現の幅を広げるとともにアクセサリー装着の機会の増加を促す、広範なアレンジの幅を有する極めて装飾的効果の高い発明品である。
【課題を解決するための手段】
【０００２】
下着、水着やショートパンツ等のショーツＡの又部aに引っ掛け得るストラップ１と、止め具３を有する脱落防止用ストラップ２との複合体。
【発明の効果】
【０００３】
装飾部材Ｂにより、更に使用者に個人のファッションセンスの表現と選択の楽しみを与え、ファッション性の幅を広げて装着の機会を増やす。
2016041143.tif 000002
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
水着、下着等のショーツやショートパンツの股部に装着するストラップ状の付け替え可能なアクセサリー。
【手続補正書】
【提出日】平成27年1月21日(2015.1.21)
【手続補正１】
【補正対象書類名】明細書
【補正対象項目名】全文
【補正方法】変更
【補正の内容】
【発明の詳細な説明】
【発明の概要】
【発明が解決しようとする課題】
【０００１】
水着、下着等のショーツやショートパンツの股部に装着するストラップ状の付け替え可能なアクセサリー。使用者のファッションセンスの表現の幅を広げるとともに、アクセサリー装着の機会の増加を促す、広範なアレンジの幅を有する極めて装飾的効果の高い発明品である。
【課題を解決するための手段】
【０００２】
下着、水着やショートパンツ等のショーツＡの股部aに引っ掛け得るストラップ１と、止め具３を有する脱落防止用ストラップ２との複合体。
【発明の効果】
【０００３】
アクセサリーを装着するための新たな場所を提供し、装飾部材Ｂにより、更に使用者に個人のファッションセンスの表現と選択の楽しみを与え、ファッション性の幅を広げて装着の機会を増やす。
(57)【要約】      （修正有）【課題】壁や木材などの部材に取り付け可能なクリップを提供する。【解決手段】クリップの下板の部分に押しピンが入る溝１をクリップの中心まで設ける。【選択図】図１
2016041503.tif 000002
【特許請求の範囲】
【請求項１】
押しピンをはめ込む溝がクリップの下板の中心まで横から掘られたクリップであって、通常の押しピンがその溝へはまり込むことによってクリップと押しピンが合体する特徴をもつクリッピン。
【請求項２】
前記クリッピンは押しピンをさすことが可能などこの場所にも取り付けられる特徴をもつものである。
【発明の詳細な説明】
【技術分野】
【０００１】本発明は、マグネット式クリップ以外の通常のクリップに関するものであり、クリップの下板に一般的な押しピンをはめ込む溝を加えることによってクリップと押しピンを合体させることが出来るようにしたものである。
【背景技術】
【０００２】従来のクリップは何かをはさむことを目的として作られたものであった。
【発明の開示】
【発明が解決しようとする課題】
【０００３】上述の如く、従来のクリップは何かをはさむ目的で作られたものであり、又クリップ自体に穴をあけてひもを通して吊るすだけのものでそれ自体では壁や木材などにつけることが出来ないという不都合を解決することを課題とする。
【課題を解決するための手段】
【０００４】この課題を解決するために本発明はクリップの下側の板の側面に押しピンが入る溝をクリップの中心まで設けることによってクリップと押しピンを合体させることが出来る。
【発明の効果】
【０００５】本発明により、このクリッピンは壁や木材などの押しピンがささる部材ならすべてに取り付け可能となり、押しピンだけではメモやはり紙、ポスターなどはその都度押しピンを取ることになるので壁が穴だらけになっていたが、クリッピンを使えば一度さしてしまえばずっとクリップで脱着が可能となるので見た目にも良く、自分のお気に入りのポスターなどは穴をあけることなく展示ができ、はずしてしまおうと思った時にはクリッピンを持って用意にはずすことが出来る。
【発明を実施するための最良の形態】
【０００６】図１はクリッピンの下板の側面に押しピン型の溝を設けたことを特徴とする断面図である。同図に示すようにその溝へ押しピンをはめ込むことが出来る。
【産業上の利用可能性】このクリッピンをいろいろな形や色にすることで取り付けた場所の印象も一段と良くなり、日用品としての利用の可能性を有する。
【図面の簡単な説明】
【０００８】
【図１】下板の側面に押しピンが入る溝を設けたクリッピンの断面図である。
【図２】図１のクリッピンを下から見た図である。
【図３】ポスターなどの大きな紙に穴をあけることなくコーナー４ヶ所をはさんでいる図である。
【符号の説明】
【０００９】１  押しピンを入れる溝
２  クリッピン
2016041503.tif 000003
【図３】
2016041503.tif 000004
【手続補正書】
【提出日】平成26年10月28日(2014.10.28)
【手続補正２】
【補正対象書類名】図面
【補正対象項目名】全図
【補正方法】変更
【補正の内容】
【図１】
2016041503.tif 000005
【図２】
2016041503.tif 000006
【図３】
2016041503.tif 000007
(57)【要約】【課題】より強い荷重に耐え、合理的に、簡単に扱えるボルトでしかも一つの穴があいた画期的なボルトを提供する。【解決手段】負荷に対する力に充分に耐え、海、陸ともに塩害による腐食、錆が一向にあれ得ません。フリーハンドの使用により、快適、合理的、スピーデイ、安全になり、しかもまし締めなど一切ありません。各工業界により優れたボルトを特徴とする。【選択図】図１
2016041978.tif 000002
【特許請求の範囲】
【請求項１】
ボルトに一つ穴と、二段型を設けた一つ穴式二段型ボルト。
工業全般に渡り技術力があり、しかも世界的に進歩を遂げた日本国中である。
【発明の詳細な説明】
【技術分野】
【０００１】この発明は、一つの穴に、二段によるボルトの軸からなり、上面が三角の形の工具を使用するボルトに関するものである。
【背景技術】
【０００２】従来、ボルトは一つ穴と二段型とは別々になっていた。
【先行技術文献】
【特許文献】
【０００３】
【特許文献１】
【発明の概要】
【発明が解決しようとする課題】
【０００４】これは、次のような欠点があった。
従来、ボルトは、何度も使っていると、ネジのすり減り、スピーディに行えず、地面に落下したり、折れ曲がることが多くあった。
本発明は以上のような欠点をなくすためになされたものである。
【課題を解決するための手段】
【０００５】ボルトの軸に一つ穴と二段型を設けそれにボルトの上部に三角形を設ける。
本発明は、以上の構成よりなる一つ穴式二段型ボルトである。
【発明の効果】
【０００６】ボルトの軸に一つ穴、二段型と一体になっているので、必要以上の負荷えの加重に耐えて、かなりよくスピーデイに、簡単に取り扱えます。そしてまし締めは一切あり得ません。
フリーハンドを使用し、一気にネジを閉め、ボルトを固定します。長期にわたり使用に耐え、経済的に行えます。
このボルトは非常に優れ、使うのになんらさしつかえない。
【図面の簡単な説明】
【０００７】
【図１】本発明の側面図である。
【図２】本発明の平面図である。
【発明を実施するための形態】
【０００８】以下、本発明を実施するための形態について説明する。
ボルトの軸の一端に一つ穴を儲け、二段型を設ける。最初にネジを回し、一つの穴にさしこんでおしこみボルトを完全に固定する。
本発明は、以上のような構造である。
これを使用するときは、一つ穴と二段型が一体となっているのでネジを回して、穴にさしこみボルトを固定するとよい。
このとき、自然の法則のようにフリーハンドを使用するとよいのである。
【産業上の利用可能性】
【０００９】産業上の分野はもとより、宇宙開発、海洋開発、造船業界、自動車産業、日曜大工用品のボルトに大変役に立ち、経済の発展に貢献を果たすものであります。
摩擦に耐え、塩害に耐え、機動性、安価、軽量、快適、小型化ができます。ネジを痛めるということが一向にありません。
【符号の説明】
【０００１０】図１  側面図
図２  平面図
【図１】
2016041978.tif 000003
【図２】
2016041978.tif 000004
(57)【要約】      （修正有）【課題】低コストで、高速回転可能な小型のＤＣモータを提供する。【解決手段】永久磁石のＮ極とＳ極を有する回転子（ロータ）と、回転軸に絶縁体（樹脂等）で取り付けられたブラシ２、３と、固定電磁石を使用した固定子（ステータ）と、固定の整流子６と、固定の整流子６の両横に取り付けられた電源を供給するための固定のスリツプリング７、８とを設ける。固定の整流子６、固定のスリツプリング７、８は絶縁体（樹脂等）１２で絶縁、固定される。【選択図】図１
2016041004.tif 000002
【特許請求の範囲】
【請求項１】
ブラシ付き直流モータ（ＤＣモータ）において、
回転子に永久磁石（Ｎ、Ｓ極）１対とブラシ（樹脂付き）２対（１８０度離れて付く）のみを取り付け、固定子に電磁石３個以上と固定のスリップリング２個と固定整流子３片以上（電磁石の数と同数の数片）を持ったＤＣモータ。
【請求項２】
ブラシ付き直流モータ（ＤＣモータ）において、
回転子に永久磁石（Ｎ、Ｓ極）２対以上とブラシ（樹脂付き）２対以上のみを取り付け、固定子に電磁石３個以上と固定のスリップリング２個と固定整流子３片以上（電磁石の数と同数の数片）を持ったＤＣモータ。
【発明の詳細な説明】
【技術分野】
【０００１】  本発明は、ブラシ付き直流モータ（ＤＣモータ）に関するものである。
【背景技術】
【０００２】  従来、整流子をもちいたＤＣモータは回転子に巻線（コイル）するため回転子が大きくなり全体も大きくなる。このため、小型化の障害になっていた。また回転子の突極が複雑なため巻線コストがかかった。
【先行技術文献】
【０００３】  特許文献１；特開２００８−６１４７１号公報
国際公開番号；ＷＯ２００７−１２２７６７号公報
非特許文献
公開特許公報；特開２００６−６０９８２号公報
【発明の概要】
【発明が解決しようとする課題】
【０００４】（１）整流子付ＤＣモータは回転子に巻線が必要なため小型化が困難であった。
（２）巻線のためのコストがかかった。
（３）回転子に永久磁石を使用し固定子に電磁石を使用したＤＣモータはあったが、電子制御回路が必要であった。  また、この電子回路を使用したＤＣモータでは、自動車に使用されているセルモータのように発電用に併用使用することはできない。
【課題を解決するための手段】
【０００５】  回転子に永久磁石（Ｎ極、Ｓ極）とブラシを樹脂などで回転軸（シャフト）に取り付ける。固定子（ステータ）に電磁石を使用し、整流子は固定して使用する。固定の整流子の両横に固定のスリップリングを樹脂などの絶縁体で取り付ける両横のスリップリングに電源プラス（＋）マイナス（−）をつなぐ、このスリップリングの電気を回転子に取り付けたブラシにより固定整流子に流す、流れた電気を固定子（ステータ）の電磁石の巻線コイルに流れ、これにより固定子（ステータ）の電磁石は回転子が回るとブラシと整流子により巻線コイルの電気は＋−入れ替わりＮ極からＳ極にＳ極はＮ極に変り、回転子はさらに回る。
回転子にＮ極Ｓ極１対のほか２対以上取り付けも可能でその時は電磁石も６個以上取り付け整流子片も６個以上取り付けできる。Ｎ極Ｓ極１対の時も電磁石を３個以上４個５個６個多数取り付けても整流子片を４個５個６個多数に増加すれば問題ない。ブラシの数も２対から４対に増加が可能である。従来のＤＣモータではブラシを４対にすることが困難であったが、この発明では容易にできる。
【発明の効果】
【０００６】（１）この発明により整流子付ＤＣモータは回転子に電磁石が不要となり、永久磁石とブラシを取付ければよく小型化ができる。
（２）回転子にコイルを巻くコスト（手間）がなくなりコストダウンができる。
コイルは固定子に必要であるが自動巻きも可能でコイルを固定子の突極に固定して取付けるだけでよい。遠心力が働かないため回転子のようにコイルが飛び出す心配がない。固定子のコイルも薄くするなどできる。
（３）この発明の固定整流子を使用すれば電子回路などは不要となる。
（４）この発明により、このモータを発電機として使用する時は、回転子が従来のコイル巻きに比べ小さく軽くなるため、より小さい回転力で発電が可能である。
（５）回転子の永久磁石（Ｎ極Ｓ極）２対以上で、固定子の電磁石が多数の時ブラシの数を容易に増加が可能である。
（６）電子回路を使用しないため自動車用のセルモータとして使用してもモータから発電、発電からモータ、として使用できる。
（７）回転子に永久磁石だけを使用した自動車用セルモータはない。
【図面の簡単な説明】
【０００７】
【図１】本発明に使用する固定整流子図及び回転ブラシとの関係
【図２】固定整流子と回転ブラシの関係
【図３】モータの断面図
【図４】回転子（永久磁石）とブラシの取り付け図
【発明を実施するための形態】
【０００８】  以下本発明の実施の形態を説明する。
回転子（ロータ）に永久磁石のＮ極とＳ極（１）とブラシ（２）と（３）を回転軸（４）に絶縁体（樹脂等）（５）で取り付け、固定子（ステータ）に電磁石（１０）を使用し、整流子（６）も固定して使用する。固定の整流子（６）の横に固定のスリップリング（７）と（８）を取り付けて置く、このスリップリング（７）と（８）に電源プラス（＋）とマイナス（−）をつなぐ、このスリップリングの電気を回転子に取り付けたブラシ（２）と（３）により固定の整流子（６）へ流す、整流子（６）に流れた電気を固定子（ステータ）の電磁石（１０）の巻線コイル（９）に流す、これにより巻線コイルの電気は＋−入れ替わりＮ極はＳ極に、Ｓ極はＮ極に変り、回転子はまた回る、従来の回転子に電磁石を使用したＤＣモータより回転子のバランスが取り易く小型で高速のＤＣモータが完成する。
【符号の説明】
【０００９】１    永久磁石の回転子ＮとＳ          ２    ブラシ
３    ブラシ                          ４    回転軸（シャフト）
５    絶縁体（樹脂等）                ６    固定整流子
７    固定スリップリング              ８    固定スリップリング
９    巻線コイル                      １０  固定電磁石（鉄心）
１１  スプリング                      １２  絶縁体（樹脂等）
１３  銅線
【産業上の利用可能性】
【００１０】  従来のモータより小型、軽量で強力なモータを製作できるため自動車産業や航空機産業に利用できる可能性大と思われる。他家庭電器産業、ＯＡ機器、模型用モータ、小型工具用モータ、直流発電用モータに利用できる。
【図１】
2016041004.tif 000003
【図２】
2016041004.tif 000004
【図３】
2016041004.tif 000005
【図４】
2016041004.tif 000006
(57)【要約】【課題】複数の穴あきを有するアクリル板が固定穴となっていることを簡易な手段によって穴あきを塞ぐことにより外部からの吹き込み風を防止することを課題とする。【解決手段】円形状の複数の穴部を有する透明アクリル板を複数重ねて、前記透明アクリル板の中心部分を支点として、回転自由にし、使用時はアクリル板を回転させて穴部が同位置で貫通できるようにし、未使用時はアクリル板を回転させて穴部が相互にずれてお互いの穴部を塞ぐようにしている。【選択図】図１
2016041889.tif 000002
【特許請求の範囲】
【請求項１】
円形状の複数の穴あきを有する透明アクリル板を複数重ねて、前記透明アクリル板の中心部分を支点として、回転自由にし、使用時はアクリル板を回転させて穴あきが同位置で貫通できるようにし、未使用時はアクリル板を回転させて穴あきが相互にずれてお互いの穴あきを塞ぐことを特徴とした通話用窓。
【請求項２】
前記重ねた各円形状のアクリル板の内側面の穴部に凹凸を設けて、各アクリル板の凸部分に穴部を設け、穴部を閉めるときは、凹凸が合致することを特徴とする請求項１記載の通話用窓。
【発明の詳細な説明】
【技術分野】
【０００１】
本発明は、宝くじ売場等外部に面する売場において、店内と顧客との間には通話用窓と発券口があり、前記通話用窓は、穴あきアクリル板が固定穴となっているため吹き込み風を防止できない。
【背景技術】
【０００２】
従来は、宝くじ売場等の外部に面する売場においては、店員と顧客との間に透明アクリル板が設けられ、その透明アクリル板に店員と顧客がコミュニケーションをとるための通話用窓と、顧客が支払う代金と引き換えに店員が発券を顧客に渡す発券口がある。
【発明の概要】
【発明が解決しようとする課題】
【０００３】
発券口については、店員が発券を顧客に渡すとき以外は発券口を板等で塞ぐことで外部からの寒気を防ぐことができる。
【０００４】
一方、通話用窓については、複数の穴あきを有するアクリル板が固定穴となっているため、簡易に穴あきを塞ぐことが困難であることから外部からの吹き込み風を防止できないという問題があった。
【０００５】
本発明は、前記の問題点を解決するためになされたものであって、複数の穴あきを有するアクリル板が固定穴となっていることを簡易な手段によって穴あきを塞ぐことにより外部からの吹き込み風を防止することを課題とする。
【課題を解決するための手段】
【０００６】
請求項１に記載の発明は、円形状の複数の穴部を有する透明アクリル板を複数重ねて、前記透明アクリル板の中心部分を支点として、回転自由にし、使用時はアクリル板を回転させて穴部が同位置で貫通できるようにし、未使用時はアクリル板を回転させて穴部が相互にずれてお互いの穴部を塞ぐことを特徴とした通話用窓。
【０００７】
請求項２に記載の発明は、前記重ねた各円形状のアクリル板の内側面の穴部に凹凸を設けて、各アクリル板の凸部分に穴部を設け、穴部を閉めるときは、凹凸が合致することを特徴とする請求項１記載の通話用窓。
【発明の効果】
【０００８】
請求項１に記載の発明は、透明アクリル板を回転調整させることで、使用時は、アクリル板の穴部が同位置で貫通することから、内部の店員と外部の顧客との間で聴覚によるコミニュケーションをスムーズにすることができる。
【０００９】
一方、未使用時はアクリル板の穴部が相互にずれてお互いの穴部を塞ぐことにより、外部からの吹き込み風の侵入を防止することができる。
【００１０】
請求項２に記載の発明は、各アクリル板の凸部分に穴部を設けていることから、開く場合は、各アクリル板の凸部を当接させて穴部が同位置で貫通させることで固定し、閉じる場合は、各アクリル板の凹凸を合致させることで固定するので、中間的な位置でなく、確実に固定できる。
【図面の簡単な説明】
【００１１】
【図１】本発明の実施形態に係る通話用窓の正面図（開いた状態）である。
【図２】本発明の実施形態に係る通話用窓の正面図（閉じた状態）である。
【図３】本発明の実施形態に係る通話用窓の断面図（開いた状態）である。
【図４】本発明の実施形態に係る通話用窓の断面図（閉じた状態）である。
【発明を実施するための形態】
【００１２】
本実施形態では、図１より、透明アクリル板２を２枚重ねて、前記円形状の中心位置３をネジ等で固定してアクリル板２自体は中心３より回転自由とする。
【００１３】
前記アクリル板２は、通話用として、複数の穴部４が中心位置３を対称の配置とされている。
また、前記アクリル板２の外周面の任意の位置に突起５を設けて、前記アクリル板２を回転させる際に人の指等で押すことにより回転させる。
【００１４】
回転させて各明アクリル板２の穴部４を夫々合わせることにより、２枚の透明アクリル板２の穴部４が貫通して、開いている状態になる。
【００１５】
図２は、突起５を左側に適宜移動することで、前記各透明アクリル板２の夫々の穴部４の位置がずれる。
穴部４の位置がずれることで、外部からの吹き込み風を防止することができる。
【００１６】
図３では、前記２枚のアクリル板２の前記重ねた各円形状のアクリル板の内側面の穴部に凹凸を設けて、各アクリル板の凸部分に穴部を設けた状態を表している。２枚のアクリル板の内側面の凸部の頂部６に穴部４に合わせることで穴部４が同位置で貫通できるようにして内部の店員と外部の顧客との間で聴覚によるコミニュケーションをスムーズにすることができる。
【００１７】
図４では、図３の状態から突起５を人によって押して、透明アクリル板２を回転されて各円形状のアクリル板の内側面の凹凸を合致させることできちんと透明アクリル板２を固定でき、外部からの吹き込み風を防止することができる。
【符号の説明】
【００１８】
１  通話用窓
２  透明アクリル板
３  中心位置
４  穴部
５  突起
６  頂部
【図１】
2016041889.tif 000003
【図２】
2016041889.tif 000004
【図３】
2016041889.tif 000005
【図４】
2016041889.tif 000006
(57)【要約】【課題】高齢化、飲酒時などの誤った動作をしてしまい、熱湯をかぶる事故を防ぐための吸盤付き器具を提供する。【解決手段】シャワーヘッドの可動させたくない方向に吸盤付き器具を取り付けることにより、シャワーヘッドが誤った方向に向かないようにして安全に使用できるようにする。【選択図】図１
2016041897.tif 000002
【特許請求の範囲】
【請求項１】
浴室の壁面に吸盤で簡単に取り付け可能である。
【請求項２】
吸盤の先につけるシャワーヘッドガードは、
シャワーヘッドの方向を制限できるものであって、形状はさまざまな形で適応できる。
【発明の詳細な説明】
【技術分野】
【０００１】本発明は、シャワーヘッドが必要のない角度に向かないように、浴室の壁に取り付けてシャワーヘッドの可動を抑制するものである。
【背景技術】
【０００２】従来は、１８０度左右に可動することができた。
【先行技術文献】
【０００３】特開２００８−１４４４０８
【発明の概要】
【発明が解決しようとする課題】
【０００４】高齢化が進む中、シャワーヘッドが自分に向いてるのに気付かずに蛇口から湯を出すつもりがシャワーヘッドから湯が出て火傷をする事例がある。
本発明は、この課題を解消するためになされたものである。
【課題を解決するための手段】
【０００５】浴室の壁面に吸盤付きの器具をつけることによって、シャワーヘッドが器具にあたって可動しなくなり、誤って熱湯をかぶらないようにした。
【発明の効果】
【０００６】高齢化、飲酒時などの状況で誤って熱湯をかぶる事故が多い。
特に、ユニットバスで洗面をするときにシャワーヘッドがこちらを向いていて熱湯をかぶることがあり、本発明では洗面の方にシャワーヘッドを向かせないことで熱湯をかぶる事故を防止できる。
【図面の簡単な説明】
【０００７】
【図１】本発明の正面図である。
【図２】本発明の使用状態を示す断面図である。
【発明を実施するための形態】
【０００８】以下、本発明の実施の形態について説明する。
（イ）吸盤をシャワーヘッドの可動させたくない方向に取り付ける。
（ロ）吸盤の先には、シャワーヘッドが必要以上に可動できないように器具がついている。
【符号の説明】
【０００９】１  シャワーヘッド
２  吸盤
３  吸盤の先の器具
【図１】
2016041897.tif 000003
【図２】
2016041897.tif 000004
(57)【要約】【課題】異形棒鋼は、丸棒タイプが基本形状であり、その断面は円形が基本である。しかしながら、断面が円形であると、異形棒鋼の表面にリブや節の突起を付けても、回転しやすくコンクリートとの密着力、付着力が弱い点があった。【解決手段】異形棒鋼の断面形状を三角形にすることにより、回転しにくくし、コンクリートとの密着力、付着力をより強力にし、剥離しにくくする。【選択図】図１
2016041899.tif 000002
【特許請求の範囲】
【請求項１】
三角断面形状の異形棒鋼
【発明の詳細な説明】
【技術分野】
【０００１】この発明は、異形棒鋼の形状に関する。
【背景技術】
【０００２】従来の異形棒鋼は軸部の断面形状が基本は円形のものである。
【先行技術文献】
【非特許文献】
【０００３】
【非特許文献１】楽天市場  異形棒鋼（標準順  写真付き一覧）：通販・インターネット
【発明の概要】
【発明が解決しようとする課題】
【０００４】しかしながら、以上の技術によれば、異形棒鋼の軸部の断面形状が円形であると異形棒鋼の表面にリブや突起をつけても回転しやすくコンクリートとの密着力、付着力が弱い点があった。
そこで、この発明は異形棒鋼の軸部の断面を三角形にし回転しにくく、コンクリートとの密着力、付着力をより強力にすることを課題とする。
【課題を解決するための手段】
【０００５】以上の課題を解決するために、本発明は異形棒鋼の軸部を三角形の断面形状としたことを特徴とする異形棒鋼。
【発明の効果】
【０００６】本発明によれば、異形棒鋼の軸部を三角形の断面形状とする事で、回転しにくく、コンクリートとの密着力、付着力を強力にすることができ、これを使った構造物の強度、安全度を増大させることができる。
【図面の簡単な説明】
【０００７】
【図１】この発明の一実施形態を示す斜視図である。
【発明を実施するための形態】
【０００８】この発明の一実施形態を、図１に示す。
異形棒鋼の軸部を三角形の断面形状とする。
【０００９】「実施形態の効果」
この実施形態によれば、異形棒鋼の軸の断面を三角形にすることで、円形の断面形状の異形棒鋼に比べて容易に回転しにくく、コンクリートとの密着力、付着力を強力にし、これを使った構造物の強度、安全度を増大させることができる。
【００１０】「他の実施形態」
図１の実施形態では、異形棒鋼軸部の断面形状が三角形であるが、Ｖ字形Ｗ字形Ｈ字形Ｘ字形Ｙ字形の断面形状でもよい。
【００１１】図１の実施形態では、異形棒鋼の表面に付けるリブや節もそれぞれその断面を三角形にしているが、リブや節は三角形断面でなくても丸みを帯びていない回転しにくい形状であればよい。
【００１２】図１の実施形態では、異形棒鋼の表面につけるリブや節の向きは軸に対して垂直に設けてあるが、上下やリブについては左右に角度をつけて設けてもよい。
【００１３】図１の実施形態では、異形棒鋼の表面に付けるリブと節の比率は１対１で設けてあるが、他の比率でもよい。
【００１４】図１の実施形態では、異形棒鋼の表面に付けるリブと節の高さは同じ高さであるが、異なる高さでもよい。
【００１５】図１の実施形態では、異形棒鋼の表面に付けるリブは節に対して直角に設けてあるが、左４５度や右４５度等斜めに設けてもよい。
【符号の説明】
【００１６】１  異形棒鋼軸部  ２  節  ３  リブ
【図１】
2016041899.tif 000003
(57)【要約】      （修正有）【課題】水を出しっ放しにしながら両手を使いたい場合にも、散水装置を所定の位置に固定して、安定に使うことのできる散水装置を提供する。【解決手段】散水装置本体１に縦横自在に稼動するバネ式クリップ３を取り付け、水を出しっ放しにしながら所定の位置に固定することが出来るようにする。縦横自在に稼働できるため、取り付け場所の形状に合わせることができる。また手で持って使いたい場合のために、散水レバー２も付設する。【選択図】図１
2016041898.tif 000002
【特許請求の範囲】
【請求項１】
散水装置にバネ式クリップを取り付ける。
【請求項２】
バネ式クリップを可動式とする。
【発明の詳細な説明】
【技術分野】
【０００１】発明は散水装置を手に持つことなく使用する事が出来るクリップ付き散水装置である
【背景技術】
【０００２】散水装置を使用する場合、必ず左右どちらかの手を使って散水装置を保持する必要があった。
【発明の概要】
【発明が解決しようとする課題】
【０００３】これまでの散水装置には以下の欠点があった。
散水装置を使用時に、水を出しながら両手を使いたいときは、散水装置のレバーストッパーを使い、水を出しっ放しにしてどこかに置いて使用しなければならないのだが、水の圧力によって散水装置が不安定になり安定的に使用する事が出来なかった。
本発明はそれらの欠点をなくすためになされたものである。
【課題を解決するための手段】
【０００４】（１）散水装置本体にバネ式クリップを取り付けて固定できるようにする。
【発明の効果】この装置を取り付けることにより、散水装置を所定の位置に固定することができるようになり、散水装置の水を出しっ放しにして両手を自由に使用する事が出来るようになる。
【図面の簡単な説明】
【図１】クリップ取り付け状態の斜視図である。（符号付）  ▲１▼散水装置本体  ▲２▼散水レバー  ▲３▼バネ式クリップ
【発明を実施するための形態】
【実施例】
【０００１】本発明を実施するために、散水装置にバネ式クリップを取り付け、水を出しっ放しにしながら所定の位置に散水装置を取り付けて使用する。【０００２】取り付けるバネ式クリップは縦横自在に稼動するようにして取り付けて、取り付け場所の形状に合わせる事が出来るようにする。
【図１】
2016041898.tif 000003